(57)【要約】【課題】室内においての防犯を実現できる防犯機能を付加したテレビジョン受像機を提供する。【解決手段】テレビジョン受像機において、主電源がオフされた後、リモコンの監視開始キーの押下が検知されたとき、または携帯電話機の操作によるネットワークからの監視開始指令が検知されたとき、監視モードに設定される。監視開始キーの押下の検知により監視モードに設定されたとき、所定時間経過してからセンサが起動され、または監視開始指令の検知により監視モードに設定されたとき、センサが起動される。センサの出力信号が変化したとき、主電源がオンされる。主電源がオンされた後、カメラが駆動され、侵入者が撮影される。また、センサの出力信号が変化したとき、音声が最大音量でスピーカから出力される。したがって、低価格でホームセキュリティを実現することができる。【選択図】図１
2008294939.tif 000002
【特許請求の範囲】
【請求項１】
ディスプレイ装置の画面枠の所定箇所に取り付けられたセンサと、前記画面枠の所定箇所に取り付けられたカメラとを備えると共に、
主電源がオフされた後、リモコンに設けられた監視開始キーの押下を検知したとき、または携帯電話機の操作によるネットワークからの監視開始指令を検知したとき、監視モードに設定する監視モード設定手段と、
前記監視開始キーの押下の検知により監視モードに設定されたとき、所定時間経過してから前記センサを起動させ、または前記監視開始指令の検知により監視モードに設定されたとき、前記センサを起動させるセンサ起動手段と、
前記センサの出力信号が変化したとき、前記主電源をオンさせる電源制御手段と、
前記主電源がオンされた後、前記カメラを駆動させ撮影するカメラ制御手段と、
前記センサの出力信号が変化したとき、音声を最大音量でスピーカから出力させる制御を行う音声出力制御手段とを備えたことを特徴とするテレビジョン受像機。
【請求項２】
前記センサの出力信号の変化の検知により異常を前記ネットワークを介してセキュリティ業者のサーバーに通報する異常通報手段を有することを特徴とする請求項１に記載のテレビジョン受像機。
【請求項３】
前記センサの出力信号の変化の検知により最大音量で出力される音声は、選局されているテレビジョン放送局からの放送信号による音声であることを特徴とする請求項１に記載のテレビジョン受像機。
【請求項４】
ディスプレイ装置の画面枠の所定箇所に取り付けられた複数のセンサと、前記画面枠の所定箇所に取り付けられ撮影方向が可動なカメラとを備えた場合、監視モード時に、前記複数のセンサのうちで出力信号が変化したセンサを検知し、この出力信号が変化したセンサの検出方向に前記カメラのレンズを向けて撮影するカメラ制御手段を有することを特徴とする請求項１に記載のテレビジョン受像機。
【請求項５】
前記選局されているテレビジョン放送局からの放送信号による音声が無ければ、現時点で音声信号を出力しているテレビジョン放送局を選局する選局制御手段を有することを特徴とする請求項３に記載のテレビジョン受像機。
【請求項６】
前記現時点で音声信号を出力しているテレビジョン放送局が無ければ、前記センサの出力信号の変化の検知により、ブザー音を最大音量でスピーカから出力させるブザー音出力制御手段を有することを特徴とする請求項５に記載のテレビジョン受像機。
【請求項７】
前記リモコンによる主電源オフ操作、または前記携帯電話機による監視解除指令により、前記監視モードを解除させる監視モード解除手段を有することを特徴とする請求項１に記載のテレビジョン受像機。
【発明の詳細な説明】
【技術分野】
【０００１】
本発明は、テレビジョン受像機に関し、特に、防犯機能を付加したテレビジョン受像機に関する。
【背景技術】
【０００２】
従来から、大規模な建造物の監視、工場構内の監視、ダムや送電施設の監視、トンネルの監視などを行うセキュリティシステムにおいては、広域に設置された複数の監視用カメラと、これら監視用カメラと専用回線を介して接続されたセンター監視装置とを備え、センター監視装置で現場の状況を監視し、また、その状況の画像を記録媒体に記録させている。
【０００３】
しかし、このようなセキュリティシステムは、構成が大掛かりで高価になり、一般の家庭には適さない。そこで、一般の家庭でも、使用できる各種の防犯グッズが市販されているので、ユーザは使用目的に適した防犯グッズを購入して、例えば、部屋の適切な箇所に防犯グッズを取り付けて、防犯を行っている。
【特許文献１】特開２００５−１５７４９０号公報
【特許文献２】特開２００６−２５３９８１号公報
【発明の開示】
【発明が解決しようとする課題】
【０００４】
要するに、一般家庭のユーザは、使用目的に適した防犯グッズを購入して、例えば、部屋の適切な箇所に防犯グッズを取り付けて、防犯を行っているが、防犯グッズの購入費用がかかり、また、防犯グッズの取り付け作業を行わなければならないので、取り付け作業が面倒であると言う課題が生じると共に、防犯グッズが侵入者に気付かれないような箇所に取り付けなければならないが、そのような箇所が無ければ防犯の効果があまり無いと言う課題も生じる。
【０００５】
なお、特許文献１の従来技術では、室内を自由に持ち運びできる人体検知センサを窓ガラス近辺に設置し、この人体検知センサが屋外の人を検知すると、照明機器およびＡＶ機器を動作させるようにして、不審者に対して屋内に人が居るかとの思いをさせて家屋への侵入を諦めさせるようにしている。しかし、この従来技術は、人体検知センサが屋外の人を検知する場合、屋外が道に面していた場合、道を歩いている人も誤検知することもある。また、マンションのような共同住宅では、窓ガラスが無い場合もあり、このような場合には、人体検知センサを適切な箇所に設置することができない。また、不審者が室内に入った場合には対処することができない。
【０００６】
特許文献２の従来技術は、人感センサで視聴者の不在を検出すると、液晶ディスプレイの映像を消すものであり、防犯に用いられているものではない。
【０００７】
本発明は、上記のような課題を解決するためになされたもので、室内においての防犯を実現できる防犯機能を付加したテレビジョン受像機を提供することを目的とする。
【課題を解決するための手段】
【０００８】
上記目的を達成するために、請求項１の発明は、ディスプレイ装置の画面枠の所定箇所に取り付けられたセンサと、前記画面枠の所定箇所に取り付けられたカメラとを備えると共に、主電源がオフされた後、リモコンに設けられた監視開始キーの押下を検知したとき、または携帯電話機の操作によるネットワークからの監視開始指令を検知したとき、監視モードに設定する監視モード設定手段と、前記監視開始キーの押下の検知により監視モードに設定されたとき、所定時間経過してから前記センサを起動させ、または前記監視開始指令の検知により監視モードに設定されたとき、前記センサを起動させるセンサ起動手段と、前記センサの出力信号が変化したとき、前記主電源をオンさせる電源制御手段と、前記主電源がオンされた後、前記カメラを駆動させ撮影するカメラ制御手段と、前記センサの出力信号が変化したとき、音声を最大音量でスピーカから出力させる制御を行う音声出力制御手段とを備えたことを特徴とするテレビジョン受像機を提供する。
【０００９】
この構成においては、主電源がオフされた後、監視開始キーの押下が検知されたとき、または携帯電話機の操作によるネットワークからの監視開始指令が検知されたとき、監視モードに設定される。特に、ユーザが外出していても、携帯電話機で監視モードに設定することができる。監視開始キーの押下の検知により監視モードに設定されたとき、所定時間経過してからセンサが起動され、または監視開始指令の検知により監視モードに設定されたとき、センサが起動される。センサの出力信号が変化したとき、主電源がオンされる。主電源がオンされた後、カメラが駆動され、侵入者が撮影される。また、センサの出力信号が変化したとき、音声が最大音量でスピーカから出力される。
【００１０】
この構成によれば、室内においての防犯を実現できる防犯機能を付加したテレビジョン受像機を提供できるので、一般家庭のユーザは、別途防犯グッズを購入する必要がなく、これにより、経済的であり、また、防犯グッズの取り付け作業も省ける。また、センサおよびカメラはテレビジョン受像機の画面枠に取り付けられているので、侵入者に防犯機能を有するテレビジョン受像機であることを気付かれることがない。また、ユーザの部屋に侵入者があったとき、スピーカから大きな音声が出力されるので、近所に異常を知らせることができる。
【００１１】
請求項２の発明では、請求項１の発明において、前記センサの出力信号の変化の検知により異常をネットワークを介してセキュリティ業者のサーバーに通報する異常通報手段を有するので、ユーザの部屋に不審者が侵入すれば、異常をセキュリティ業者のサーバーに通報することができ、異常に対する処置を素早くすることができる。
【００１２】
請求項３の発明では、請求項１の発明において、前記センサの出力信号の変化の検知により最大音量で出力される音声は、選局されているテレビジョン放送局からの放送信号による音声であるので、ユーザの部屋への侵入者は、突然テレビ番組の大きな音声を聞くことになり、ゆっくり部屋に居れなくなると共に、近所に侵入者があったことを知らせることもできる。
【００１３】
請求項４の発明では、請求項１の発明において、ディスプレイ装置の画面枠の所定箇所に取り付けられた複数のセンサと、前記画面枠の所定箇所に取り付けられ撮影方向が可動なカメラとを備えた場合、監視モード時に、前記複数のセンサのうちで出力信号が変化したセンサを検知し、この出力信号が変化したセンサの検出方向に前記カメラのレンズを向けて撮影するカメラ制御手段を有するので、侵入者の様子を細かく撮影ができる。
【００１４】
請求項５の発明では、請求項３の発明において、前記選局されているテレビジョン放送局からの放送信号による音声が無ければ、現時点で音声信号を出力しているテレビジョン放送局を選局する選局制御手段を有するので、現在選局されているテレビ番組から音声が出なければ、他のテレビ番組から音声を出すことができる。
【００１５】
請求項６の発明では、請求項５の発明において、前記現時点で音声信号を出力しているテレビジョン放送局が無ければ、センサの出力信号の変化の検知により、ブザー音を最大音量でスピーカから出力させるブザー音出力制御手段を有するので、音声が出力されているテレビ番組が無かった場合や、放送されているテレビ番組が無かった場合でも、ユーザの部屋に侵入者が居れば、ブザー音を最大音量で出すことができる。
【００１６】
請求項７の発明では、請求項１の発明において、リモコンによる主電源オフ操作、または携帯電話機による監視解除指令により、前記監視モードを解除させる監視モード解除手段を有するので、リモコンまたは携帯電話機で監視モードを解除させることができる。特に、ユーザが外出していても、セキュリティ業者からの連絡やセキュリティ業者のサーバーからのメール送信などにより、携帯電話機で監視モードを解除して、音声の出力を停止させることができる。
【発明の効果】
【００１７】
以上のように本発明によれば、室内においての防犯を実現できる防犯機能を付加したテレビジョン受像機を提供できるので、一般家庭のユーザは、別途防犯グッズを購入する必要がなく、これにより、経済的であり、また、防犯グッズの取り付け作業も省ける。また、センサおよびカメラはテレビジョン受像機の画面枠に取り付けられているので、侵入者に防犯機能を有するテレビジョン受像機であることを気付かれることがない。また、ユーザの部屋に侵入者があったとき、スピーカから大きな音声が出力されるので、近所に異常を知らせることができる。また、ユーザが外出していても、携帯電話機で監視モードに設定することができる。
【００１８】
また、ユーザの部屋に不審者が侵入すれば、異常をセキュリティ業者のサーバーに通報することができるので、異常に対する処置を素早くすることができる。
【００１９】
また、ユーザの部屋への侵入者は、突然テレビ番組の大きな音声を聞くことになり、ゆっくり部屋に居れなくなると共に、近所に侵入者があったことを知らせることもできる。
【００２０】
また、ディスプレイ装置の画面枠の所定箇所に取り付けられた複数のセンサと、前記画面枠の所定箇所に取り付けられ撮影方向が可動なカメラとを備えた場合、監視モード時に、前記複数のセンサのうちで出力信号が変化したセンサを検知し、この出力信号が変化したセンサの検出方向に前記カメラのレンズを向けて撮影するようにしたので、侵入者の様子を細かく撮影ができる。
【００２１】
また、現在選局されているテレビ番組から音声が出なければ、他のテレビ番組から音声を出すことができる。
【００２２】
また、音声が出力されているテレビ番組が無かった場合や、放送されているテレビ番組が無かった場合でも、ユーザの部屋に侵入者が居れば、ブザー音を最大音量で出すことができる。
【００２３】
また、リモコンまたは携帯電話機で監視モードを解除させることができる。特に、ユーザが外出していても、セキュリティ業者からの連絡やセキュリティ業者のサーバーからのメール送信などにより、携帯電話機で監視モードを解除して、音声の出力を停止させることができる。
【００２４】
要するに、本発明のテレビジョン受像機は、防犯機能を有しているため、低価格でホームセキュリティを実現することができる。
【発明を実施するための最良の形態】
【００２５】
以下、添付図面を参照しつつ、本発明の実施の形態について説明する。図１は本発明の一実施形態に係るテレビジョン受像機の構成を示すブロック図である。
【００２６】
このテレビジョン受像機Ｔは、テレビジョン放送局から送信されてきた放送信号をアンテナ１で受信し選局して得られた映像音声信号を出力するチューナ２と、このチューナ２からの映像音声信号を復調および誤り訂正すると共に映像信号と音声信号とに分離する信号処理部３と、この信号処理部３からの映像信号をディスプレイ装置５の表示用の映像信号に変換して出力する映像出力部４と、信号処理部３からの音声信号をスピーカ７で音声として出力できるように変換して出力する音声出力部６と、スピーカ７から出力される音声の音量を調整するための音量制御信号を音声出力部６に供給する電子ボリューム８と、受像機全体を制御するシステムコントローラ９と、このシステムコントローラ９の動作に必要なプログラムやデータが記憶されたフラッシュＲＯＭなどのメモリ１０と、リモコン２４からの赤外線の操作信号を受光して電気信号の操作信号に変換し電気信号の操作信号をシステムコントローラ９に供給する受光部１１とを備えている。
【００２７】
また、このテレビジョン受像機Ｔは、画面枠の所定箇所にそれぞれ取り付けられ赤外線などにより侵入者を検知するセンサ１３〜１８と、これらのセンサ１３〜１８の出力信号を入力して出力信号が変化したセンサを検知してシステムコントローラ９にセンサの出力信号が変化したことを示すセンサ変化信号および出力信号が変化したセンサがどれであるかを示すセンサ識別信号をシステムコントローラ９に供給するセンサ入力部１９と、画面枠の所定箇所に取り付けられたカメラ２０と、このカメラ２０と映像出力部４またはシステムコントローラ９との信号の送受信を行う送受信部２１と、主電源がオフされて待機状態のときにシステムコントローラ９とメモリ１０とセンサ１３〜１８などに待機電源を供給する待機電源部２２と、テレビジョン受像機Ｔが動作状態のときに待機電源に代わり電源を供給すると共にその他電源を必要とする全ての構成要素に電源を供給する主電源部２３と、ブザー音を発生させるブザー音発生部２９とを備えている。
【００２８】
カメラ２０は、目的物を撮影するためのレンズ２０１、このレンズ２０１を上下左右方向に所定角度まで間で動かすように構成されたレンズ駆動部２０２、シャッター２０３、撮影された写真のデータを記録するメモリ２０４、このメモリ２０４に写真のデータを記録させる記録部２０５、メモリ２０４に記録された写真のデータを再生させる再生部２０６、カメラ２０の各構成要素を制御する制御部２０７、および再生部２０６で再生された写真のデータを送受信部２１に送信したり送受信部２１からの制御信号を制御部２０７に入力したりする送受信部２０８を備えている。
【００２９】
このテレビジョン受像機Ｔは、送受信部１２に接続されたＬＡＮ（ローカルエリアネットワーク）などのネットワーク２５を介してセキュリティ業者のサーバー２６および携帯電話局のサーバー２７と通信可能になっている。携帯電話機２８は、ユーザが所有の携帯電話機を示し、この携帯電話機２８の操作により、携帯電話局のサーバー２７およびネットワーク２５を介して、テレビジョン受像機Ｔに監視開始指令を送って、テレビジョン受像機Ｔを監視モードに設定したり、携帯電話局のサーバー２７およびネットワーク２５を介して、テレビジョン受像機Ｔに監視解除指令を送って、テレビジョン受像機Ｔの監視モードを解除させたりすることができる。
【００３０】
テレビジョン受像機Ｔのシステムコントローラ９は、主電源がオフされた後、リモコン２４に設けられた監視開始キー２４ａの押下を検知したとき、または携帯電話機２８の操作によるネットワーク２５からの監視開始指令を検知したとき、監視モードに設定する監視モード設定手段と、監視開始キー２４ａの押下の検知により監視モードに設定されたとき、所定時間（例えば５分）経過してからセンサ１３〜１８を起動させ、または前記監視開始指令の検知により監視モードに設定されたとき、センサ１３〜１８を起動させるセンサ起動手段と、センサ１３〜１８の出力信号が変化したとき、主電源をオンさせる電源制御手段と、前記主電源がオンされた後、カメラ１３〜１８を駆動させ撮影するカメラ制御手段とを有する。
【００３１】
また、システムコントローラ９は、センサ１３〜１８の出力信号が変化したとき、音声を最大音量でスピーカ７から出力させる制御を行う音声出力制御手段と、現時点で音声信号を出力しているテレビジョン放送局が無ければ、センサ１３〜１８の出力信号の変化の検知により、ブザー音を最大音量でスピーカ７から出力させるブザー音出力制御手段と、センサ１３〜１８の出力信号の変化の検知により異常をネットワーク２５を介してセキュリティ業者のサーバー２６に通報する異常通報手段と、監視モード時に、センサ１３〜１８のうちで出力信号が変化したセンサを検知し、この出力信号が変化したセンサの検出方向にカメラ２０のレンズ２０１を向けて撮影するカメラ制御手段と、リモコン２４による主電源オフ操作、または携帯電話機２８による監視解除指令により、前記監視モードを解除させる監視モード解除手段とを有する。
【００３２】
図２は本実施形態においてテレビジョン受像機の画面枠に６個のセンサと１個のカメラとが取り付けられた状態を示す簡略化した斜視図である。図２において、テレビジョン受像機の画面枠ａには、前から見て、左上隅にセンサ１３、上枠の中央にセンサ１４、右上隅にセンサ１５、左下隅にセンサ１６、下枠の中央にセンサ１７、右下隅にセンサ１８がそれぞれ取り付けられている。また、画面枠２０の上枠の中央より右側寄りにカメラ２０が取り付けられている。なお、センサおよびカメラの取り付け位置は、それに限ることはない。また、センサの個数も６個に限ることはない。
【００３３】
図３は本実施形態においてテレビジョン受像機が監視モードに設定された場合の処理および監視モードが解除された場合の処理を説明するためのフローチャートである。このフローチャートおよび図１、図２を参照してテレビジョン受像機が監視モードに設定された場合の処理および監視モードが解除された場合の処理について説明する。
【００３４】
ユーザが、リモコン２４の電源キーを押下すると、システムコントローラ９は、電源キーが押下されたことを検知し（ステップＳ１）、主電源部２３の動作を停止させ、テレビジョン受像機Ｔの主電源をオフする。このように主電源がオフされた状態で、ユーザが外出するため、リモコン２４の監視開始キー２４ａを押下すると、システムコントローラ９の監視モード設定手段は、監視開始キー２４ａが押下されたことを検知し（ステップＳ２）、これにより、テレビジョン受像機Ｔを監視モードに設定する（ステップＳ３）。
【００３５】
そして、監視モードに設定されたとき、図示しないタイマにより、時間が計時され、システムコントローラ９のセンサ起動手段は、その時間が例えば５分経過したことを検知すると（ステップＳ４）、センサ１３〜１８を起動させる（ステップＳ５）。監視モードに設定してから例えば５分経過してからセンサ１３〜１８を起動させるのは、ユーザが部屋にいる間にセンサ１３〜１８を起動させると、侵入者と間違えて検知するので、ユーザが部屋の外に出るまでの時間の余裕を取っている。なお、その時間は５分に限ることはない。
【００３６】
このようにしてテレビジョン受像機Ｔが監視モードに設定され、センサ１３〜１８が起動しているときに、システムコントローラ９の電源制御手段は、センサ１３〜１８の出力信号の変化をセンサ入力部１９を介して検知すると（ステップＳ６）、主電源部２３を動作させ、テレビジョン受像機Ｔの主電源をオンする（ステップＳ７）。次いで、システムコントローラ９のカメラ制御手段は、センサ１３〜１８のうちで出力信号が変化したセンサをセンサ入力部１９からのセンサ識別信号により検知する。
【００３７】
即ち、センサ入力部１９は、センサ１３〜１８のうち、出力信号が変化したセンサの識別信号をシステムコントローラ９に入力すると、電源制御手段は、センサ１３〜１８のうちで出力信号が変化したセンサを検知し、この出力信号が変化したセンサの検出方向にカメラ２０のレンズ２０１を向けて撮影するように、カメラ制御信号を送受信部２１およびカメラ２０の送受信部２０８を介してカメラ２０の制御部２０７に送信する。これにより、制御部２０７は、レンズ駆動部２０２を駆動させ、レンズ２０１を前記出力信号が変化したセンサの検出方向に向け、カメラ２０のシャッター２０３を動作させることにより、その検出方向に居る侵入者などを撮影する（ステップＳ８）。
【００３８】
カメラ２０では、撮影された写真のデータが記録部２０５の処理によりメモリ２０４に記録される。この記録された写真のデータは、再生部２０６で再生され、送受信部２０８から送受信部２１を介して映像出力部４に送ることにより、ディスプレイ装置５に写真の画像を表示させることができ、これにより、後で侵入者を特定するのに役立てることができる。
【００３９】
次に、システムコントローラ９の異常通報手段は、当該センサの出力信号の変化の検知により、ユーザの部屋に侵入者が居ることを示す異常の信号を送受信部１２から出力し、ネットワーク２５を経由でセキュリティ業者のサーバー２６に送信することにより、前記異常を通報する（ステップＳ９）。更に、システムコントローラ９の音声出力制御手段は、音声を最大音量でスピーカ７から出力させる制御を行う（ステップＳ１０）。そして、システムコントローラ９の監視モード解除手段は、リモコン２４による主電源オフ操作、または携帯電話機２８による監視解除指令により、監視モードを解除させる。
【００４０】
ここでは、システムコントローラ９の監視モード解除手段は、携帯電話機２８からの監視の解除指令を検知したとき（ステップＳ１１）、スピーカ７から出力されている音声の出力を停止させる（ステップＳ１２）。なお、ステップＳ１１の処理では、リモコン２４の電源キーを押下することにより、テレビジョン受像機Ｔの主電源をオフさせる操作（主電源オフ操作）を、システムコントローラ９の監視モード解除手段が検知することにより、次のステップＳ１２の処理で、音声の出力を停止させても良い。
【００４１】
以下、図４のフローチャートを参照して説明する。図４は本実施形態において音声の出力および停止に関する詳細な処理を説明するためのフローチャートである。このフローチャートおよび図１〜図３を参照して音声の出力および停止に関する詳細な処理について説明する。
【００４２】
システムコントローラ９の音声出力制御手段は、チューナ１により選局されているテレビジョン放送局からの放送信号に音声信号が含まれるか否かを判定する（ステップＮ１）。前記音声信号が含まれていると判定されたとき、音声出力制御手段は、スピーカ８から出力される音声の音量が最大になるように電子ボリューム８を調整し（ステップＮ２）、スピーカ８から現在選局されているテレビ番組で発生する音声を最大音量で出力させる（ステップＮ３）。
【００４３】
この後、システムコントローラ９の監視モード解除手段は、ユーザが部屋に入ってリモコン２４の電源キーを押下することによる主電源オフ操作、またはユーザの携帯電話機２８のキー操作による監視解除指令により、監視モードを解除すると（ステップＮ４）、スピーカ７からの音声出力を停止する（ステップＮ５）。
【００４４】
一方、前記音声信号が含まれていないと判定されたときは、即ち、システムコントローラ９の選局制御手段は、チューナ２で選局されているテレビジョン放送局からの放送信号による音声が無ければ、現時点で音声信号を出力しているテレビジョン放送局を選局する（ステップＮ６）。即ち、選局制御手段は、チューナ２を順次選局動作させ、信号処理部３の音声出力ラインから音声信号が出力されれば、音声信号が含まれるテレビジョン放送局が有ったことになるので、これにより、システムコントローラ９は、音声信号が含まれるテレビジョン放送局が有ったか否かを判定する（ステップＮ７）。
【００４５】
前記音声信号が含まれるテレビジョン放送局が有ったと判定されたとき、ステップＮ２の処理に移り、同様な処理を行うが、前記音声信号が含まれるテレビジョン放送局が無かったと判定されたときは、システムコントローラ９のブザー音出力制御手段は、ブザー音発生部２９を駆動させ、スピーカ７から最大音量でブザー音を出力させる（ステップＮ８）。
【００４６】
この後、システムコントローラ９の監視モード解除手段は、ユーザが部屋に入ってリモコン２４の電源キーの押下することによる主電源オフ操作、またはユーザの携帯電話機２８のキー操作による監視解除指令により、監視モードを解除すると（ステップＮ９）、スピーカ７からのブザー音を停止させる（ステップＮ１０）。
【００４７】
なお、上記実施形態では、センサを６個設けたが、６個に限らず、１個から５個あるいは７個以上であっても良い。また、ディスプレイ装置５の画面枠ａの所定箇所に取り付けられた６個のセンサ１３〜１８と、画面枠ａの所定箇所に取り付けられ撮影方向が可動なカメラ２０とを備え、監視モード時に、前記６個のセンサ１３〜１８のうちで出力信号が変化したセンサを検知し、この出力信号が変化したセンサの検出方向にカメラ２０のレンズ２０１を向けて撮影する構成について説明したが、カメラはレンズの方向が固定のものであっても良い。このカメラの場合は、レンズの方向が動くものに比べて、価格が安いと言うメリットがあるが、一方、撮影の範囲が狭くなると言うデメリットがある。しかし、レンズ方向が固定のカメラであっても、ホームセキュリティを十分に実現することができる。
【００４８】
以上説明したように本実施形態によれば、室内においての防犯を実現できる防犯機能を付加したテレビジョン受像機Ｔを提供できるので、一般家庭のユーザは、別途防犯グッズを購入する必要がなく、これにより、経済的であり、また、防犯グッズの取り付け作業も省ける。また、センサ１３〜１８およびカメラ２０はテレビジョン受像機Ｔの画面枠ａに取り付けられているので、侵入者に防犯機能を有するテレビジョン受像機Ｔであることを気付かれることがない。また、ユーザの部屋に侵入者があったとき、スピーカ７から大きな音声が出力されるので、近所に異常を知らせることができる。また、ユーザが外出していても、携帯電話機２８で監視モードに設定することができる。
【００４９】
また、ユーザの部屋に不審者が侵入すれば、異常をセキュリティ業者のサーバー２６に通報することができるので、異常に対する処置を素早くすることができる。また、ユーザの部屋への侵入者は、突然テレビ番組の大きな音声を聞くことになり、ゆっくり部屋に居れなくなると共に、近所に侵入者が居ることを知らせることもできる。
【００５０】
また、ディスプレイ装置５の画面枠ａの所定箇所に取り付けられた６個のセンサ１３〜１８と、画面枠ａの所定箇所に取り付けられ撮影方向が可動なカメラ２０とを備えた場合、監視モード時に、６個のセンサ１３〜１８のうちで出力信号が変化したセンサを検知し、この出力信号が変化したセンサの検出方向にカメラ２０のレンズ２０１を向けて撮影するようにしたので、侵入者の様子を細かく撮影ができる。
【００５１】
また、チューナ２で現在選局されているテレビ番組から音声が出なければ、他のテレビ番組から音声を出すことができる。また、音声が出力されているテレビ番組が無かった場合や、放送されているテレビ番組が無かった場合でも、ユーザの部屋に侵入者が居れば、ブザー音を最大音量で出すことができる。また、リモコン２４または携帯電話機２８で監視モードを解除させることができる。特に、ユーザが外出していても、セキュリティ業者からの連絡やセキュリティ業者のサーバー２６からのメール送信などにより、携帯電話機２８で監視モードを解除して、音声の出力を停止させることができる。
【００５２】
要するに、本実施形態のテレビジョン受像機Ｔは、防犯機能を有しているため、低価格でホームセキュリティを実現することができる。
【産業上の利用可能性】
【００５３】
本発明は、テレビジョン受像機に利用可能であり、このテレビジョン受像機は防犯装置も兼ねることができる。
【図面の簡単な説明】
【００５４】
【図１】本発明の一実施形態に係るテレビジョン受像機の構成を示すブロック図である。
【図２】前記実施形態においてテレビジョン受像機の画面枠に６個のセンサと１個のカメラとが取り付けられた状態を示す簡略化した斜視図である。
【図３】前記実施形態においてテレビジョン受像機が監視モードに設定された場合の処理および監視モードが解除された場合の処理を説明するためのフローチャートである。
【図４】前記実施形態において音声の出力および停止に関する詳細な処理を説明するためのフローチャートである。
【符号の説明】
【００５５】
ａ    画面枠
Ｔ    テレビジョン受像機
５    ディスプレイ装置
７    スピーカ
９    システムコントローラ（監視モード設定手段、センサ起動手段、電源制御手段、音声出力制御手段、異常通報手段、カメラ制御手段、選局制御手段、ブザー音出力制御手段、監視モード解除手段）
１３〜１８    センサ
２０    カメラ
２４    リモコン
２４ａ    監視開始キー
２５    ネットワーク
２６    セキュリティ業者のサーバー
２８    携帯電話機
２０１    レンズ
【図１】
2008294939.tif 000003
【図２】
2008294939.tif 000004
【図３】
2008294939.tif 000005
【図４】
2008294939.tif 000006